(57)【要約】  【課題】  通信端末の使用者が、無線制御される着信制御時の通信端末の動作モードを設定可能な通信端末着信制御システムを提供すること。  【解決手段】  通信端末着信制御システムは、通信端末１と、通信端末１の着信モードを無線制御する制御装置２とを備える。通信端末１は、制御装置２により着信制御される場合の動作である着信制御設定を選択する。通信端末１と制御装置２とで通信が確立すると、通信端末１は、制御装置２へ選択された着信制御設定に関する着信制御設定情報を送信する。制御装置２は、通信端末１の着信制御設定情報を取得すると、着信制御設定情報に基づいて制御信号を送信する。通信端末１は、制御装置２から送信される制御信号を受信し、受信した制御信号に基づいて着信モードを変更する。【選択図】  図１
2005142698.tif 000002
【特許請求の範囲】
【請求項１】
通信端末と、
前記通信端末の着信モードを無線制御する制御装置とを備え、
前記通信端末は、前記制御装置による着信制御時の動作モードを設定する動作モード設定手段と、前記設定された動作モードに係る動作モード設定情報を前記制御装置へ送信する動作モード設定情報送信手段と、前記制御装置から送信される制御信号を受信する制御信号受信手段と、前記制御信号および前記設定された動作モードに基づいて着信モードを制御する着信モード制御手段とを有し、
前記制御装置は、前記動作モード設定情報を取得する動作モード設定情報取得手段と前記動作モード設定情報とに基づいて前記通信端末に対して制御信号を送信する制御信号送信手段とを有する通信端末着信制御システム。
【請求項２】
請求項１記載の通信端末着信制御システムであって、
前記通信端末は、着信制御を受けている状態において、前記通信端末の現在の着信モードに係る着信モード情報を前記制御装置へ送信する着信モード情報送信手段を更に有し、
前記制御装置は、前記着信モード情報を取得する着信モード情報取得手段を更に有し、
前記制御装置は、前記着信モード情報取得手段で着信モード情報が取得されている通信端末に対して、着信制御を解除する制御信号を前記制御信号送信手段から送信し、
前記通信端末は、前記制御信号を前記制御信号受信手段で受信して、前記着信モード制御手段で、着信モードを着信制御前に復帰させる通信端末着信制御システム。
【請求項３】
請求項１記載の通信端末着信制御システムであって、
少なくとも一つの前記制御装置に接続される情報処理装置を更に備え、
前記通信端末は、着信制御を受けている状態において、前記通信端末の現在の着信モードに係る着信モード情報を前記制御装置へ送信する着信モード情報送信手段をさらに有し、
前記制御装置は、前記着信モード情報を取得する着信モード情報取得手段と、前記通信端末に対して付与される識別情報および前記通信端末の前記着信モード情報を含む端末情報を前記情報処理装置へ送信する端末情報送信手段と、をさらに有し、
前記情報処理装置は、前記端末情報送信手段から送信される端末情報を受信する端末情報受信手段と、前記端末情報を受信時刻情報と共に記憶する記憶手段と、受信した前記端末情報を前記少なくとも一つの制御装置へ配信する端末情報配信手段を有する通信端末着信制御システム。
【請求項４】
請求項１ないし３のいずれか一項記載の通信端末着信制御システムであって、
前記動作モード設定手段は、通信端末の電源をオフにする着信不可モード、または着信音を出力せずにその他の報知手段により着信を報知するマナーモード、のいずれか一方を設定するものである通信端末着信制御システム。
【請求項５】
請求項１ないし４のいずれか一項記載の通信端末着信制御システムであって、
前記動作モード設定手段は、前記制御装置による着信制御を受け付けない着信制御拒否モードを設定可能とするものである通信端末着信制御システム。
【請求項６】
請求項１ないし５のいずれか一項記載の通信端末着信制御システムであって、
前記通信端末は、前記制御装置により着信制御された着信モードを、通信端末操作者の操作により元の着信モードへ復帰させる着信制御解除手段をさらに有する通信端末着信制御システム。
【請求項７】
請求項６記載の通信端末着信制御システムであって、
前記通信端末及び前記制御装置間の通信は、近距離無線通信である通信端末着信制御システム。
【請求項８】
制御装置から無線通信を介して行われる着信制御時の動作モードを設定する動作モード設定手段と、
前記制御装置からの制御信号と前記設定された動作モードとに基づいて着信モードを制御する着信モード制御手段と、
を備える通信端末。
【請求項９】
請求項８記載の通信端末であって、
現在の着信モードに係る着信モード情報を前記制御装置へ送信する設定情報送信手段を更に備える通信端末。
【請求項１０】
請求項８又は９記載の通信端末であって、
前記動作モード設定手段は、通信端末の電源をオフにする着信不可モード、または着信音を出力せずにその他の報知手段により着信を報知するマナーモード、のいずれか一方を設定するものである通信端末。
【請求項１１】
請求項８ないし１０のいずれか一項記載の通信端末であって、
前記動作モード設定手段は、前記制御装置からの着信制御を受け付けない着信制御拒否モードを設定可能とするものである通信端末。
【請求項１２】
請求項８ないし１１のいずれか一項記載の通信端末であって、
前記制御装置により着信制御された着信モードを、通信端末操作者の操作により元の着信モードへ復帰させる着信制御解除手段を更に備える通信端末。
【請求項１３】
請求項８ないし１２のいずれか一項記載の通信端末であって、
前記制御装置との通信は、近距離無線通信である通信端末。
【請求項１４】
通信端末の着信制御時の動作モードに係る動作モード設定情報を取得する着信制御設定情報取得手段と、
前記動作モード設定情報に基づいて前記通信端末に対して制御信号を送信する制御信号送信手段と、
を備える制御装置。
【請求項１５】
請求項１４記載の制御装置であって、
着信制御を受けている前記通信端末の現在の着信モードに係る着信モード情報を取得する着信モード情報取得手段をさらに有し、前記着信モード情報取得手段で着信モード情報が取得されている通信端末に対して、着信制御を解除する制御信号を前記制御信号送信手段から送信する制御装置。
【請求項１６】
通信端末の着信制御を行う少なくとも一つの制御装置から送信される前記通信端末に付与される識別情報及び前記通信端末の着信制御時の動作モードの設定を示す動作モード設定情報並びに現在の着信モードに係る着信モード情報を含む端末情報を受信する端末情報受信手段と、
前記端末情報を受信時刻情報と共に記憶する記憶手段と、
受信した前記端末情報を前記少なくとも一つの制御装置へ配信する端末情報配信手段と、
を備える情報処理装置。
【請求項１７】
通信端末における各手順をコンピュータに実行させるためのプログラムであって、
制御装置から無線通信を介して行われる着信制御時の動作モードを設定する動作モード設定ステップと、
前記設定された動作モードに係る動作モード設定情報を送信する動作モード設定情報送信手段と、
前記制御装置からの制御信号に基づいて着信モードを制御する着信モード制御ステップと、
をコンピュータに実行させるためのプログラム。
【請求項１８】
請求項１７記載のプログラムであって、
前記通信端末の現在の着信モードに関わる設定情報を前記制御装置へ送信する設定情報送信ステップをさらに含むプログラム。
【請求項１９】
請求項１７又は１８記載のプログラムであって、
前記動作モード設定ステップは、通信端末の電源をオフにする着信不可モード、または着信音を出力せずにその他の報知手段により着信を報知するマナーモード、のいずれか一方を設定するものであるプログラム。
【請求項２０】
請求項１７ないし１９のいずれか一項記載のプログラムであって、
前記動作モード設定ステップは、着信制御を受け付けない着信制御拒否モードを設定可能とするものであるプログラム。
【請求項２１】
請求項１７ないし２０のいずれか一項記載のプログラムであって、
前記制御装置により着信制御された着信モードを、通信端末操作者の操作により元の着信モードへ復帰させる着信制御解除ステップをさらに含むプログラム。
【請求項２２】
通信端末の着信制御時の動作モードに係る動作モード設定情報を取得する動作モード設定情報取得ステップと、
前記動作モード設定情報に基づいて前記通信端末に対して制御信号を送信する制御信号送信ステップと、
をコンピュータに実行させるためのプログラム。
【請求項２３】
請求項２２記載のプログラムであって、
着信制御を受けている前記通信端末の現在の着信モードに係る着信モード情報を取得する着信モード情報取得ステップを更に含み、
前記制御信号送信ステップにおいて、前記着信モード情報取得ステップで着信モード情報が取得されている通信端末に対して、着信制御を解除する制御信号を送信するものであるプログラム。
【請求項２４】
通信端末の着信制御を行う少なくとも一つの制御装置から送信される前記通信端末に付与される識別情報及び前記通信端末の着信制御時の動作モードを示す動作モード設定情報並びに現在の着信モードに係る着信モード情報を含む端末情報を受信する端末情報受信ステップと、
前記端末情報を受信時刻情報と共に記憶するデータベース生成ステップと、
前記受信した前記端末情報を前記少なくとも一つの制御装置へ配信する端末情報配信ステップとをコンピュータに実行させるためのプログラム。
【発明の詳細な説明】
【技術分野】
【０００１】
本発明は、通信端末の着信モードを無線制御する通信端末着信制御システム、それに使用する通信端末、制御装置、および情報処理装置に関する。
【背景技術】
【０００２】
従来の通信端末着信制御システムの一例として、通信端末の電源のオン／オフを外部より制御して、通信端末の通話着信を制限するシステムが提案されている（例えば、特許文献１参照）。このようなシステムは通信端末と制御装置とを備え、双方間で近距離無線通信を行い、通信端末の電源のオン／オフを切り換える。
【０００３】
具体的には、通信端末が制御装置に接近すると近距離無線通信が確立され、制御装置から送信される電源オフの指示信号を通信端末が受信して、通信端末の電源がオフとなる。制御装置からの指示信号が受信できる領域内にある通信端末は、電源が継続的にオフとなる。一方、指示信号が受信可能な領域から外れると通信端末の電源は自動的にオンに復帰するというものである。従って、例えば電車内など、通信端末の使用を制限したい場所にこの制御装置を設置すれば、乗車中は通信端末の電源がオフとなり、一時的に通信端末の着信を制限できる。
【特許文献１】特開２００２−０７８００６号公報
【発明の開示】
【発明が解決しようとする課題】
【０００４】
しかしながら、上記従来の通信端末着信制御システムにあっては、通信端末の電源が強制的にオフとなり一切使用できなくなるため、緊急時など、場合によっては止むを得ず通信端末を使用しなければならない状況では通信端末を使用できないという事情があった。
【０００５】
本発明は、上記従来の事情を鑑みてなされたもので、通信端末の使用者が、無線制御される着信制御時の通信端末の動作モードを設定可能な通信端末着信制御システムを提供することを目的とする。
【課題を解決するための手段】
【０００６】
本発明の通信端末着信制御システムは、
通信端末と、
前記通信端末の着信モードを無線制御する制御装置とを備え、
前記通信端末は、前記制御装置による着信制御時の動作モードを設定する動作モード設定手段と、前記設定された動作モードに係る動作モード設定情報を前記制御装置へ送信する動作モード設定情報送信手段と、前記制御装置から送信される制御信号を受信する制御信号受信手段と、前記制御信号および前記設定された動作モードに基づいて着信モードを制御する着信モード制御手段とを有し、
前記制御装置は、前記動作モード設定情報を取得する動作モード設定情報取得手段と前記動作モード設定情報とに基づいて前記通信端末に対して制御信号を送信する制御信号送信手段とを有する。
【０００７】
この構成により、通信端末の使用者が、着信制御時の動作設定を選択可能となり、着信制御に関わる柔軟な設定を行うことができる。
【０００８】
また、本発明の着信制御システムは、
前記通信端末は、着信制御を受けている状態において、前記通信端末の現在の着信モードに係る着信モード情報を前記制御装置へ送信する着信モード情報送信手段を更に有し、
前記制御装置は、前記着信モード情報を取得する着信モード情報取得手段を更に有し、
前記制御装置は、前記着信モード情報取得手段で着信モード情報が取得されている通信端末に対して、着信制御を解除する制御信号を前記制御信号送信手段から送信し、
前記通信端末は、前記制御信号を前記制御信号受信手段で受信して、前記着信モード制御手段で、着信モードを着信制御前に復帰させる。
【０００９】
この構成により、着信制御を行った通信端末に対してその解除を行うことが可能となり、必要な場合のみ着信制御を行うことができる。
【００１０】
さらに、本発明の着信制御システムは、
少なくとも一つの前記制御装置に接続される情報処理装置を更に備え、
前記通信端末は、着信制御を受けている状態において、前記通信端末の現在の着信モードに係る着信モード情報を前記制御装置へ送信する着信モード情報送信手段をさらに有し、
前記制御装置は、前記着信モード情報を取得する着信モード情報取得手段と、前記通信端末に対して付与される識別情報および前記通信端末の前記着信モード情報を含む端末情報を前記情報処理装置へ送信する端末情報送信手段と、をさらに有し、
前記情報処理装置は、前記端末情報送信手段から送信される端末情報を受信する端末情報受信手段と、前記端末情報を受信時刻情報と共に記憶する記憶手段と、受信した前記端末情報を前記少なくとも一つの制御装置へ配信する端末情報配信手段を有する。
【００１１】
この構成により、着信制御に関わる柔軟な設定が通信端末で行える。また、制御装置が行う着信制御の状況の一元管理が可能となり、着信制御の開始及び解除を時系列で追跡することにより、通信端末の移動の様子が把握できる。
【００１２】
また、本発明の着信制御システムは、前記動作モード設定手段は、通信端末の電源をオフにする着信不可モード、または着信音を出力せずにその他の報知手段により着信を報知するマナーモード、のいずれか一方を設定するものである。
【００１３】
この構成により、着信制御を行う場合の通話着信の可否が選択でき、着信制御の柔軟な設定が行える。
【００１４】
また、本発明の着信制御システムは、前記動作モード設定手段は、前記制御装置による着信制御を受け付けない着信制御拒否モードを設定可能とするものである。
【００１５】
この構成により、制御装置からの制御を受け付けない設定が可能となり、着信制御の柔軟な設定が行える。
【００１６】
また、本発明の着信制御システムは、前記通信端末は、前記制御装置により着信制御された着信モードを、通信端末操作者の操作により元の着信モードへ復帰させる着信制御解除手段をさらに有する。
【００１７】
この構成により、着信制御の手動解除が可能となり、通信端末の操作者が必要に応じて通話着信を可能な状態に復帰できる。
【００１８】
また、本発明の着信制御システムは、前記通信端末及び前記制御装置間の通信は、近距離無線通信である。
【００１９】
この構成により、安価で汎用性の高いシステムとすることができる。
【００２０】
本発明の通信端末は、制御装置から無線通信を介して行われる着信制御時の動作モードを設定する動作モード設定手段と、
前記制御装置からの制御信号と前記設定された動作モードとに基づいて着信モードを制御する着信モード制御手段と、
を備える。
【００２１】
この構成により、通信端末の使用者が、着信制御時の動作設定を選択可能となり、着信制御に関わる柔軟な設定が行える。
【００２２】
また、本発明の通信端末は、
現在の着信モードに係る着信モード情報を前記制御装置へ送信する設定情報送信手段を更に備える。
【００２３】
この構成により、着信制御を行った通信端末に対してその解除を行うことが可能となり、必要な場合のみ着信制御を行うことができる。
【００２４】
また、本発明の通信端末は、前記動作モード設定手段は、通信端末の電源をオフにする着信不可モード、または着信音を出力せずにその他の報知手段により着信を報知するマナーモード、のいずれか一方を設定するものである。
【００２５】
この構成により、着信制御を行う場合の通話着信の可否が選択でき、着信制御の柔軟な設定が行える。
【００２６】
また、本発明の通信端末は、前記動作モード設定手段は、前記制御装置からの着信制御を受け付けない着信制御拒否モードを設定可能とするものである。
【００２７】
この構成により、制御装置からの制御を受け付けない設定が可能となり、着信制御の柔軟な設定が行える。
【００２８】
また、本発明の通信端末は、前記制御装置により着信制御された着信モードを、通信端末操作者の操作により元の着信モードへ復帰させる着信制御解除手段を更に備える。
【００２９】
この構成により、着信制御の手動解除が可能となり、通信端末の操作者が必要に応じて通話着信を可能な状態に復帰できる。
【００３０】
また、本発明の通信端末は、前記制御装置との通信は、近距離無線通信である。
【００３１】
この構成により、安価で汎用性の高いシステムとすることができる。
【００３２】
本発明の制御装置は、通信端末の着信制御時の動作モードに係る動作モード設定情報を取得する着信制御設定情報取得手段と、
前記動作モード設定情報に基づいて前記通信端末に対して制御信号を送信する制御信号送信手段と、
を備える。
【００３３】
この構成により、通信端末の使用者が、着信制御時の動作設定を選択可能となり、着信制御に関わる柔軟な設定が行える。
【００３４】
また、本発明の制御装置は、着信制御を受けている前記通信端末の現在の着信モードに係る着信モード情報を取得する着信モード情報取得手段をさらに有し、前記着信モード情報取得手段で着信モード情報が取得されている通信端末に対して、着信制御を解除する制御信号を前記制御信号送信手段から送信する。
【００３５】
この構成により、着信制御を行った通信端末に対してその解除を行うことが可能となり、必要な場合のみ着信制御を行うことができる。
【００３６】
本発明の情報処理装置は、通信端末の着信制御を行う少なくとも一つの制御装置から送信される前記通信端末に付与される識別情報及び前記通信端末の着信制御時の動作モードの設定を示す動作モード設定情報並びに現在の着信モードに係る着信モード情報を含む端末情報を受信する端末情報受信手段と、
前記端末情報を受信時刻情報と共に記憶する記憶手段と、
受信した前記端末情報を前記少なくとも一つの制御装置へ配信する端末情報配信手段と、
を備える。
【００３７】
この構成により、制御装置が行う着信制御の状況の一元管理が可能となり、着信制御の開始及び解除を時系列で追跡することにより、通信端末の移動の様子が把握できる。
【００３８】
本発明のプログラムは、通信端末における各手順をコンピュータに実行させるためのプログラムであって、
制御装置から無線通信を介して行われる着信制御時の動作モードを設定する動作モード設定ステップと、
前記設定された動作モードに係る動作モード設定情報を送信する動作モード設定情報送信手段と、
前記制御装置からの制御信号に基づいて着信モードを制御する着信モード制御ステップと、
をコンピュータに実行させるためのプログラムである。
【００３９】
このプログラムにより、通信端末の使用者が、着信制御時の動作設定を選択可能となり、着信制御に関わる柔軟な設定を行うことができる。
【００４０】
また、本発明のプログラムは、
前記通信端末の現在の着信モードに関わる設定情報を前記制御装置へ送信する設定情報送信ステップをさらに含む。
【００４１】
このプログラムにより、着信制御を行った通信端末に対してその解除を行うことが可能となり、必要な場合のみ着信制御を行うことができる。
【００４２】
また、本発明のプログラムは、前記動作モード設定ステップは、通信端末の電源をオフにする着信不可モード、または着信音を出力せずにその他の報知手段により着信を報知するマナーモード、のいずれか一方を設定するものである。
【００４３】
このプログラムにより、着信制御を行う場合の通話着信の可否が選択でき、着信制御の柔軟な設定が行える。
【００４４】
また、本発明のプログラムは、前記動作モード設定ステップは、着信制御を受け付けない着信制御拒否モードを設定可能とするものである。
【００４５】
このプログラムにより、制御装置からの制御を受け付けない設定が可能となり、着信制御の柔軟な設定が行える。
【００４６】
また、本発明のプログラムは、前記制御装置により着信制御された着信モードを、通信端末操作者の操作により元の着信モードへ復帰させる着信制御解除ステップをさらに含む。
【００４７】
このプログラムにより、着信制御の手動解除が可能となり、通信端末の操作者が必要に応じて通話着信を可能な状態に復帰できる。
【００４８】
本発明のプログラムは、通信端末の着信制御時の動作モードに係る動作モード設定情報を取得する動作モード設定情報取得ステップと、
前記動作モード設定情報に基づいて前記通信端末に対して制御信号を送信する制御信号送信ステップと、
をコンピュータに実行させるためのプログラムである。
【００４９】
このプログラムにより、通信端末の使用者が、着信制御時の動作設定を選択可能となり、着信制御に関わる柔軟な設定を行うことができる。
【００５０】
また、本発明のプログラムは、着信制御を受けている前記通信端末の現在の着信モードに係る着信モード情報を取得する着信モード情報取得ステップを更に含み、
前記制御信号送信ステップにおいて、前記着信モード情報取得ステップで着信モード情報が取得されている通信端末に対して、着信制御を解除する制御信号を送信するものである。
【００５１】
この構成により、着信制御を行った通信端末に対してその解除を行うことが可能となり、必要な場合のみ着信制御を行うことができる。
【００５２】
本発明のプログラムは、通信端末の着信制御を行う少なくとも一つの制御装置から送信される前記通信端末に付与される識別情報及び前記通信端末の着信制御時の動作モードを示す動作モード設定情報並びに現在の着信モードに係る着信モード情報を含む端末情報を受信する端末情報受信ステップと、
前記端末情報を受信時刻情報と共に記憶するデータベース生成ステップと、
前記受信した前記端末情報を前記少なくとも一つの制御装置へ配信する端末情報配信ステップとをコンピュータに実行させるためのプログラムである。
【００５３】
このプログラムにより、着信制御に関わる柔軟な設定が通信端末で行える。また、制御装置が行う着信制御の状況の一元管理が可能となり、着信制御の開始及び解除を時系列で追跡することにより、通信端末の移動の様子が把握できる。
【発明の効果】
【００５４】
本発明によれば、通信端末の使用者が、無線制御される着信制御時の通信端末の動作モードを設定可能な通信端末着信制御システムを提供することができる。
【発明を実施するための最良の形態】
【００５５】
本実施形態では、通信端末着信制御システムの一例として、携帯電話を通信端末として用い、着信モードを制御装置から無線制御で変更する場合の構成及び動作を例示する。はじめに、本実施形態の通信端末着信制御システムの構成について説明する。
【００５６】
図１は、本発明の実施形態を説明するための通信端末着信制御システムの概略構成を示す図である。通信端末着信制御システムは、主に、通信端末の一例である携帯端末１と、携帯端末１と近距離無線通信を行って着信モードの変更、即ち着信制御を行う制御装置２と、少なくとも１つの制御装置２と接続して携帯端末の着信制御に関わる情報の送受信を行う情報処理装置３とを有して構成される。
【００５７】
本実施形態では、携帯端末１と制御装置２の双方が例えばBluetooth（登録商標）等の近距離無線通信規格に準じた無線信号の送受信を行う近距離無線通信装置を有し、近距離無線通信を行うものとする。また、本実施形態では、制御装置２と情報処理装置３はＬＡＮ（Local Area Network）４等の通信回線を介してデータの送受信を行うこととする。
【００５８】
図２は、本発明の実施形態を説明するための携帯端末の概略構成を示す図である。携帯端末１は、携帯電話などの携帯型の通信端末で、電話通信部１０、近距離通信部１１、電源部１２、ＣＰＵ１３、メモリ１４、音声出力部１５、振動器１６、表示部１７、入力部１８、各部を接続するバス１９、などを有して構成される。
【００５９】
電話通信部１０は、復調回路及び変調回路等を有し、アンテナ１０１を介して移動体通信網の基地局（不図示）との間で無線通信を行うことで無線電話機能や電子メール送受信機能実現する。例えば、電話通信部１０が、通話や電子メール等の着信を示す無線信号を基地局から受信すると、着信を示す信号がバス１９を介してＣＰＵ１３へ出力され、ＣＰＵ１３は、メモリ１４に記憶された着信音データの中から予め設定された所定の着信音データをロードし、音声出力部１５からメロディなどの音声を出力して携帯端末使用者への着信報知を行う。
【００６０】
近距離通信部１１は、近距離無線通信の規格に準じた通信装置であり、同規格の無線通信装置を搭載する電子機器（本実施形態では、制御装置２）との間で近距離無線通信を行う。近距離通信部１１は、主に、通信部１１０、制御部１１１、アンテナ１１２等を有して構成される。制御部１１１は、アンテナ１１２を介して通信部１１０で行われる近距離通信を、制御部１１１内に格納された制御プログラムに従って制御する。
【００６１】
電源部１２は、ニッケル水素電池やリチウムイオン電池などの充電可能なバッテリーを内蔵し、電源を携帯端末１各部へ供給する。また、電源部１２は電源制御バス１２１を介して近距離通信部１１に接続する。近距離通信部１１を除く携帯端末１各部への電源供給は、近距離通信部１１から電源制御バス１２１を介して入力される制御信号に基づいてオン／オフ制御される。
【００６２】
ＣＰＵ１３は、携帯端末１の動作を統括制御するもので、メモリ１４に格納された各種制御プログラムを実行することで各種機能を実現する。具体的には、着信制御を受け付けるか否かの選択や着信制御を受け付ける際の着信制御モードの選択を入力部１８で行うようにした動作モード設定用プログラムが動作モード設定手段としての機能を実現する。また、着信制御設定に関する着信制御設定情報を制御装置２へ送信するようにした動作モード設定情報送信用プログラムが動作モード設定情報送信手段としての機能を実現する。また、制御装置２からの制御信号を近距離通信部１１で受信して制御信号に応じた動作をするようにした制御信号受信用プログラムが制御信号受信手段としての機能を実現する。さらに、入力部１８からの入力または受信した制御信号に基づいてＣＰＵ１３が着信モードを制御する着信モード制御用プログラムが着信モード制御手段としての機能を実現する。また、現在設定されている着信モードに関する着信モード情報をメモリ１４から読み出して近距離通信部１１から制御装置２へ送信する着信モード情報送信用プログラムが着信モード情報送信手段としての機能を実現する。また、着信制御状態において、ＣＰＵ１３が入力部１８の所定キーの押下を検知すると、メモリ１４の着信モード設定を着信制御モードから元の着信モードへ変更して着信制御モードの解除を行うための着信制御解除用プログラムが着信制御解除手段としての機能を実現する。
【００６３】
メモリ１４は、ＣＰＵ１３が実行する制御プログラムや、着信制御モードや現在設定されている着信モードなどの各種設定データ、着信音データなどの各種データを格納する。音声出力部１５は、スピーカ等で構成され、特に通話着信時に着信音を出力して報知を行う。振動器１６は、バイブレータで、同じく通話着信時等に振動して報知を行う。
【００６４】
表示部１７は、液晶ディスプレイ等を有し、通話着信の報知や、入力部１８からの入力内容等を表示する。入力部１８は、キーボード上のキーや各種ボタンを有し、携帯端末１の各種設定や、電話の発着信操作がこの入力部１８を介して実行される。バス１９は、上記各部を接続し、信号やデータの送受信を行う経路である。
【００６５】
図３は、本発明の実施形態を説明するための制御装置の概略構成を示す図である。制御装置２は、近距離通信部２１、ＣＰＵ２２、メモリ２３、有線通信部２４、各部を接続するバス２５などを有して構成される。
【００６６】
近距離通信部２１は、近距離無線通信の規格に準じた無線通信部であり、携帯端末１の近距離通信部１１との間で無線通信を行う。
【００６７】
ＣＰＵ２２は、制御装置２の動作を統括制御するもので、メモリ２３に格納された制御プログラムを実行することで各種機能を実現する。具体的な例としては、近距離通信部２１から携帯端末１に対して指示信号を送信し、携帯端末１で設定されている動作モードの情報を応答信号として受信するための動作モード設定情報取得用プログラムが動作モード設定情報取得手段としての機能を実現する。また、携帯端末１の着信モードを、着信制御モードとして選択された電源ＯＦＦモードまたはマナーモードに変更する制御信号または変更を解除する制御信号を近距離通信部２１から送信するための制御信号送信用プログラムが制御信号送信手段としての機能を実現する。さらに、携帯端末１から送信される当該携帯端末の現在の着信モードに関わる着信モード情報を近距離通信部２１で受信するための着信モード情報取得用プログラムが着信モード情報取得手段としての機能を実現する。また、近距離通信部２１で通信確立時に生成した携帯端末のＩＤ情報と近距離通信部２１が受信した携帯端末の端末情報を近距離通信部２１から情報処理装置３に対して送信するための端末情報送信用プログラムが端末情報送信手段としての機能を実現する。
【００６８】
メモリ２３は、ＣＰＵ２２が実行する制御プログラムや、携帯端末１から受信した設定データなどの各種データを格納する。有線通信部２４は、ＬＡＮ等で有線接続された情報処理装置３との間で各種データや信号の送受信を行う。制御装置２は有線通信部２４の替わりに無線通信部を備えて、制御装置２と情報処理装置３との間で無線通信を行ってもよい。
【００６９】
図４は、本発明の実施形態を説明するための情報処理装置の概略構成を示す図である。情報処理装置３は、ＣＰＵ３１、メモリ３２、有線通信部３３、各部を接続するバス３４などを有して構成される。
【００７０】
ＣＰＵ３１は、情報処理装置３の動作を統括制御するもので、メモリ３２に格納された制御プログラムを実行することで各種機能を実現する。具体的な例としては、ＣＰＵ３１が、制御装置２からＬＡＮ４を介して送信された端末情報を有線通信部３３で受信する端末情報取得用プログラムが端末情報受信手段としての機能を実現する。また、ＣＰＵ３１が、取得した端末情報をＣＰＵ３１内の計時部（不図示）で生成した受信時刻情報と関連付けてメモリ３２に記憶させるデータベース生成プログラムが記憶手段としての機能を実現する。さらに、ＣＰＵ３１が、取得した端末情報を有線通信部３３から制御装置へ向けて配信させる端末情報配信用プログラムが端末情報配信手段としての機能を実現する。
【００７１】
メモリ３２は、ＣＰＵ３１が実行する制御プログラムや制御装置２から受信した各種データなどを格納する。有線通信部３３は、ＬＡＮ接続した制御装置２との間で各種データや信号の送受信を行う。
【００７２】
次に本実施形態の通信端末着信制御システムの各種動作について図５から８のフローチャートを用いて説明する。
【００７３】
はじめに、携帯端末における着信制御機能設定動作について説明する。図５は、着信制御モードの設定手順を説明するためのフローチャートである。携帯端末１の使用者が入力部１８にある所定のキーを押下し、着信制御機能設定メニューに入ると（ステップＳ１０１）、ＣＰＵ１３がこれを検知して、メモリ１４に記憶されている着信制御機能設定に係る表示用データを読み出し、図９に示すような着信制御機能選択画面が表示部１７に表示される（ステップＳ１０２）。
【００７４】
制御装置による着信制御を受け付ける場合、即ち、制御装置２に接近すると着信が制限されるように設定する場合は「ＯＮ」を選択する。一方、着信制御を受け付けない場合、即ち、制御装置２に接近しても着信が制限されないように設定する場合は「ＯＦＦ」を選択する。
【００７５】
ステップＳ１０２で「ＯＮ」を選択して着信制御機能を有効にした場合、次に図１０に示すような着信制御モード選択画面が表示部１７に表示される（ステップＳ１０３）。着信制御モードとして「電源ＯＦＦ」が選択されると、制御装置２に接近すると携帯端末１の電源がオフとなり着信が行われないように設定される（ステップＳ１０４）。一方、「マナーモード」が選択されると、制御装置２に接近しても携帯端末１の電源はオフとならず、音声出力部１５からの着信音の出力だけを停止して、所謂マナーモードでの着信報知が行われるように設定される（ステップＳ１０５）。ここでマナーモードとは、振動器１６の振動や表示部１７の点滅表示など、着信音の出力を伴わない着信の報知モードであって、報知方法は公知の手法を用いてよい。
【００７６】
一方、ステップＳ１０２で「ＯＦＦ」を選択して着信制御機能を無効にすると「着信制御拒否モード」となり、制御装置２に接近してもその影響を受けないように設定される（ステップＳ１０６）。ステップＳ１０４からステップＳ１０６に示す各設定は、着信制御モードとしてメモリ１４に記憶され、着信制御機能設定動作が終了する。
【００７７】
次に、通信端末着信制御システムにおける着信制御動作及び着信制御解除動作について説明する。図１１は、通信端末着信制御システムを用いた着信制御及び着信制御解除の動作を説明するためのシステム構成例を示す図である。図に示すように、２箇所の出入口（出入口４１及び４２）を有するホールの各出入口に制御装置２ａ及び２ｂが設置されている。着信制御を受け付けるように設定された携帯端末１を所持した使用者が出入口４１から入室し、出入口４２から退出する場合、出入口４１に設置した制御装置２ａにより着信制御の動作が行われ、出入口４２に設置した制御装置２ｂにより着信制御解除の動作が行われることになる。具体的な動作手順について以下で説明する。
【００７８】
図６は、着信制御動作の動作手順を示すフローチャートである。本実施形態では、携帯端末１と制御装置２との間が、Bluetooth（登録商標）規格に準じた近距離無線通信を行う場合について説明する。携帯端末１が制御装置２ａに接近すると、制御装置２ａの近距離通信部２１が携帯端末１の近距離通信部１１を検知し、制御装置２ａ側がマスターとなりピコネットを形成する（ステップＳ２０１及びステップＳ２０２）。近距離通信部２１は、同時に近距離通信部１１に対してＩＤを付与する（ステップＳ２０３）。このＩＤは制御装置２ａのメモリ２３に一時格納される。
【００７９】
次に、制御装置２ａのＣＰＵ２２は、近距離通信部２１から携帯端末１に対して着信制御機能の設定情報（即ち、着信制御モード情報）を取得するための指示信号を送信する（ステップＳ２０４）。携帯端末１の近距離通信部１１がこの指示信号を受信すると（ステップＳ２０５）、ＣＰＵ１３は、自端末の近距離通信部１１以外の各部への電源供給がオンかオフかを判断し（ステップＳ２０６）、電源供給がオンの場合に着信制御モード情報を開示する応答信号を近距離通信部１１から送信する（ステップＳ２０７）。電源供給がオフの場合には、電源オフを示す情報を端末情報として近距離通信部２１に送信する（ステップＳ２１４）。
【００８０】
制御装置２ａの近距離通信部２１が応答信号を受信すると（ステップＳ２０８）、ＣＰＵ２２は、応答信号が「着信制御拒否モード」でないか否かを判断する（ステップＳ２０９）。着信制御拒否モードでない場合、ＣＰＵ２２は、設定された着信制御モードへの変更を実行するための制御信号を近距離通信部２１から送信する（ステップＳ２１０）。一方、着信制御拒否モードであると判断された場合、ＣＰＵ２２は制御信号の送信を行わない。
【００８１】
携帯端末１の近距離通信部１１が制御信号を受信すると（ステップＳ２１１）、ＣＰＵ１３は、振動器１６を振動させたり、表示部１７に表示を出力させたりして、着信モードが着信制御モードに変更されて着信の制限が開始される旨を通知する（ステップＳ２１２）。尚、ステップＳ２０８で制御装置２ａが受信した応答信号に対応する携帯端末１の着信制御モード情報は、メモリ２３に一時格納される。
【００８２】
ＣＰＵ１３は、同時に次の方法で着信モードを着信制御モードに変更する（ステップＳ２１３）。着信制御モードとして「電源ＯＦＦモード」が設定されている場合、ＣＰＵ１３は、メモリ１４に記憶されている現在の着信モードの設定を電源ＯＦＦモードに変更し、近距離通信部１１の制御部１１１から電源制御バス１２１を介して制御信号を送信して近距離通信部１１を除く携帯端末１各部への電源供給を停止する。着信制御モードとして「マナーモード」が設定されている場合、ＣＰＵ１３は、メモリ１４に記憶されている現在の着信モードの設定をマナーモードに変更する。
【００８３】
着信制御モードへの変更完了後、ＣＰＵ１３は、着信モードの端末情報（即ち、携帯端末１の現在の着信モードが「電源ＯＦＦモード」であるか「マナーモード」であるかの情報）を近距離通信部１１から送信する（ステップＳ２１４）。制御装置２ａの近距離通信部２１が端末情報を受信すると（ステップＳ２１５）、ＣＰＵ２２は、受信した端末情報をメモリ２３に一時格納し、この端末情報とステップＳ２０３で生成したＩＤ情報とステップＳ２０８で取得した着信制御モード情報とを関連付け、携帯端末１固有の端末総合情報として有線通信部２４から情報処理装置３へ送信する（ステップＳ２１６）。
【００８４】
情報処理装置３のＣＰＵ３１は、有線通信部３３で受信した端末総合情報をメモリ３２に格納する（ステップＳ２１７）。さらに、ＣＰＵ３１は、ＬＡＮ４を介して接続するその他の制御装置（この場合は制御装置２ｂ）へ当該端末総合情報を送信する（ステップＳ２１８）。従って、出口側の制御装置２ｂも同じ端末情報を保持することになる。そしてピコネットを切断する（ステップＳ２１９およびステップＳ２２０）。
【００８５】
次に、図７は、着信制御解除動作の動作手順を示すフローチャートである。図６のフローチャートにおけるステップＳ２１８で示したように、情報処理装置３のＣＰＵ３１が、有線通信部３３から制御装置２ｂへ端末情報を配信するので（ステップＳ３０１）、制御装置２ｂのＣＰＵ２２は、有線通信部２４でこれを受信してメモリ２３に記憶する（ステップＳ３０２）。
【００８６】
携帯端末１を所持した使用者が出入口４２へ向かい、携帯端末１が制御装置２ｂに接近すると、制御装置２ｂの近距離通信部２１が携帯端末１の近距離通信部１１を検知し、制御装置２ｂ側がマスターとなりピコネットを形成する（ステップＳ３０３及びステップＳ３０４）。近距離通信部２１は、同時に携帯端末１の近距離通信部１１に対するＩＤを付与し（ステップＳ３０５）、これと一致するＩＤ（近距離通信アドレス）がメモリ２３に登録されているか否かを判断する（ステップＳ３０６）。
【００８７】
登録されている場合、制御装置２ｂのＣＰＵ２２は、近距離通信部２１から携帯端末１に対して現在の着信モード設定情報（即ち、着信モード情報）を取得するための指示信号を送信する（ステップＳ３０７）。携帯端末１の近距離通信部１１がこの指示信号を受信すると（ステップＳ３０８）、ＣＰＵ１３は、メモリ１４に記憶されている現在の着信モードの設定が、同じくメモリ１４に記憶されている着信制御モードの設定と同じであるか否かを判断する（ステップＳ３０９）。メモリ１４に記憶されている現在の着信モードの設定と着信制御モードの設定とが同じである場合に、着信制御モード情報を開示する応答信号を近距離通信部１１から送信する（ステップＳ３１０）。一方、メモリ１４に記憶されている現在の着信モードの設定と着信制御モードの設定とが異なる場合または自端末の近距離通信部１１以外の各部への電源供給がオフの場合、ＣＰＵ１３は応答信号を送信しない。
【００８８】
制御装置２ｂの近距離通信部２１が応答信号を受信すると（ステップＳ３１１）、ＣＰＵ２２は、現在の着信モードを着信制御モードから元の着信モードへ変更して着信制御を解除するための制御信号を近距離通信部２１から送信する（ステップＳ３１２）。
【００８９】
携帯端末１の近距離通信部１１が制御信号を受信すると（ステップＳ３１３）、ＣＰＵ１３は次の方法で着信制御モードを解除する（ステップＳ３１４）。着信制御モードとして「電源ＯＦＦモード」が設定されていた場合、ＣＰＵ１３は、メモリ１４に記憶されている着信モードの設定を元の着信モード（例えば、着信音で報知する着信モード）に変更し、近距離通信部１１の制御部１１１から電源制御バス１２１を介して制御信号を送信して携帯端末１各部への電源供給を開始する。着信制御モードとして「マナーモード」が設定されている場合、ＣＰＵ１３は、メモリ１４に記憶されている着信モードの設定を元の着信モードに変更する。
【００９０】
着信制御モードの解除完了後、ＣＰＵ１３は、現在の着信モードの設定情報を近距離通信部１１から送信する（ステップＳ３１５）。以降のステップＳ３１６からステップＳ３２１までの動作手順は、図６のフローチャートのステップＳ２１５からステップＳ２２０までと同様であるので、説明を省略する。
【００９１】
尚、例えば、図１１のシステム構成例において、携帯端末を所持する使用者が出入口４１から入室し、同じ出入口４１から退出する場合でも同様に着信制御及び着信制御解除の動作が実行されることは言うまでもない。
【００９２】
ところで、情報処理装置３が取得する端末情報には、着信制御の開始時刻と解除時刻に関するデータが含まれるので、例えば、携帯端末ごとにそれらのデータを整理することにより、当該携帯端末がどの出入口よりいつ入室し、どの出入口からいつ退出したかという移動状況が把握できる。メモリ３２に分析用プログラムを格納しておき、これをＣＰＵ３１で読み出して実行することにより、このような分析が行える。携帯端末の入退室状況（即ち、人の移動）を詳細に分析したデータは、例えば販売戦略立案時の重要な情報などとして活用できる。尚、入退室の状況をリアルタイムで把握して表示する構成としてもよい。
【００９３】
次に、図８は、着信制御が実行されている携帯端末に対して、使用者が手動で着信制御の解除を行う着信制御手動解除動作の動作手順を示すフローチャートである。携帯端末１のＣＰＵ１３は、着信制御モードが有効になると（ステップＳ４０１）、入力部１８に予め設定された解除キー（電源ＯＦＦ時は電源ＯＮ／ＯＦＦキー）の押下を常時検知する（ステップＳ４０２）。ＣＰＵ１３は、解除キーの押下を検知すると、次の方法で着信制御モードを解除する（ステップＳ４０３）。着信制御モードとして「電源ＯＦＦモード」が設定されていた場合、電源ＯＮ／ＯＦＦキーで携帯端末１に電源が供給され、着信制御モードとして「マナーモード」が設定されている場合、ＣＰＵ１３は、メモリ１４に記憶されている着信モードの設定を元の着信モードに変更する。
【００９４】
上記のシステム構成例では制御装置を２台配置する構成としたが、出入口が１箇所しかないホールなどでは、出入口に設置した１台の制御装置で着信制御及び着信制御解除の動作を同時に行うことが可能であり、また出入口が多数あるホールなどでは、出入口毎に設置した複数の制御装置で同様の動作を行うことが可能である。
【００９５】
このように、本実施形態の通信端末着信制御システムによれば、どのような大きなホールなどでも出入口の数だけ制御装置を設置するだけで、ホール内に入る携帯端末の着信制御及びホール外へ出る携帯端末の着信制御解除が行える。
【００９６】
また、外部からの着信制御を受け付けるか否かについて選択でき、さらに着信制御を受け付ける場合でも、電源をオフにして着信を一切遮断するだけでなく、着信音の出力を停止してその他の報知手段により着信を報知する所謂マナーモードへの着信制御も選択できるので、着信制御に関わる柔軟な設定が行える。
【００９７】
さらに、制御装置が行う制御の状況の一元管理が可能となり、着信制御の開始及び解除を時系列で追跡することにより、通信端末の移動の様子、即ちそれを所持する人の流れが把握できる。
【００９８】
また、通信端末の操作により、着信制御状態から元の着信モードへの手動復帰が容易に行える。
【産業上の利用可能性】
【００９９】
本発明の通信端末着信制御システムは、通信端末の使用者が、通信端末の着信モードを無線制御で変更する着信制御モードを選択可能な効果を有し、携帯電話等の着信制御システム等に有用である。
【図面の簡単な説明】
【０１００】
【図１】本発明の実施形態を説明するための通信端末着信制御システムの概略構成を示す図
【図２】本発明の実施形態を説明するための携帯端末の概略構成を示す図
【図３】本発明の実施形態を説明するための制御装置の概略構成を示す図
【図４】本発明の実施形態を説明するための情報処理装置の概略構成を示す図
【図５】着信制御モードの設定手順を示すフローチャート
【図６】着信制御動作の動作手順を示すフローチャート
【図７】着信制御解除動作の動作手順を示すフローチャート
【図８】着信制御手動解除動作の動作手順を示すフローチャート
【図９】着信制御機能選択画面の表示例を示す図
【図１０】着信制御モード選択画面の表示例を示す図
【図１１】通信端末着信制御システムを用いた着信制御及び着信制御解除の動作を説明するためのシステム構成例を示す図である。
【符号の説明】
【０１０１】
１  携帯端末
２  制御装置
３  情報処理装置
１０  電話通信部
１１  近距離通信部
１２  電源部
１３  ＣＰＵ
１４  メモリ
１５  音声出力部
１６  振動器
１７  表示部
２１  近距離通信部
２２  ＣＰＵ
２３  メモリ
２４  有線通信部
３１  ＣＰＵ
３２  メモリ
３３  有線通信部
【図１】
2005142698.tif 000003
【図２】
2005142698.tif 000004
【図３】
2005142698.tif 000005
【図４】
2005142698.tif 000006
【図５】
2005142698.tif 000007
【図６】
2005142698.tif 000008
【図７】
2005142698.tif 000009
【図８】
2005142698.tif 000010
【図９】
2005142698.tif 000011
【図１０】
2005142698.tif 000012
【図１１】
2005142698.tif 000013